(57)【要約】【課題】不要なアルコール検査喚起を低減する【解決手段】アルコール検知システム（以下、検知システムという）はスマートフォン２（以下スマホ２という）とアルコール検知器３（以下、検知器３という）を備える。検知器３は、運送業務従事者（以下、従事者という）の呼気に含まれるアルコール濃度に応じた濃度信号を出力する。スマホ２は、濃度信号を検知器３から有線で入力可能に構成されるとともに、管理装置４へアルコール濃度に関する情報を無線送信可能に構成され、自身の位置情報を取得可能である。検知システムは喚起手段を備え、スマホ２が、停留判定時間以上、停留判定範囲内に存在している場合に、アルコール検査を従事者に喚起する。スマホ２は設定手段と喚起動作手段とを備える。設定手段は、従事者が運転勤務状態であるか否かを、手入力により設定できる。喚起動作手段は、運転勤務状態である期間に喚起手段を動作させる。【選択図】図１
2015099479.tif 000002
【特許請求の範囲】
【請求項１】
被験者の呼気に含まれるアルコール濃度に応じた濃度信号を出力するアルコール検知器と、
少なくとも前記濃度信号を前記アルコール検知器から有線または無線で入力可能に構成されるとともに、管理センタへ前記アルコール濃度に関する情報を無線送信可能に構成され、前記被験者によって携帯可能な通信機であって、自身の位置情報を取得可能な位置情報取得機能を備える通信機と、
を備え、
前記位置情報取得機能によって取得された前記位置情報に基づいて、前記通信機が、予め設定された停留判定時間以上、予め設定された停留判定範囲内に存在している場合に、アルコール検査を前記被験者に喚起する喚起手段を有するアルコール検知システムであって、
前記通信機は、
前記被験者が運転勤務状態であるか否かを、手入力により設定することができる設定手段と、
前記運転勤務状態であると設定されている期間に、前記喚起手段を動作させる喚起動作手段とを備える
ことを特徴とするアルコール検知システム。
【請求項２】
前記設定手段は、
前記被験者が出勤したことを示す出勤情報が入力されると、前記被験者が運転勤務状態であると設定するとともに、前記被験者が退勤したことを示す退勤情報が入力されると、前記被験者が運転勤務状態でないと設定する
ことを特徴とする請求項１に記載のアルコール検知システム。
【請求項３】
前記通信機は、
前記出勤情報および前記退勤情報とは異なる設定変更情報の入力に基づいて、前記運転勤務状態であるとの設定から、前記出勤情報を維持しつつ前記運転勤務状態でないとの設定に変更する設定変更手段を備える
ことを特徴とする請求項２に記載のアルコール検知システム。
【請求項４】
前記通信機は、
前記喚起手段による喚起の後に前記アルコール検査が行われなかったことを示す予め設定された検査未実行条件が成立した場合に、前記アルコール検査が行われなかったことを示す検査未実行情報を、前記通信機に記憶するか、前記管理センタへ送信する情報提供手段を備える
ことを特徴とする請求項１〜請求項３の何れか１項に記載のアルコール検知システム。
【請求項５】
請求項１〜請求項４の何れか１項に記載のアルコール検知システムと、
前記管理センタと、を更に備え、該管理センタにて、少なくとも前記被験者の前記呼気に含まれる前記アルコール濃度に関する情報を管理する
ことを特徴とする管理システム。
【請求項６】
コンピュータを、請求項１〜請求項４の何れか１項に記載のアルコール検知システムを構成する各手段として機能させるためのプログラム。
【発明の詳細な説明】
【技術分野】
【０００１】
本発明は、呼気に含まれるアルコールの濃度を測定するアルコール検知システム、管理システムおよびプログラムに関する。
【背景技術】
【０００２】
運送会社の運送車両を運転して業務を行う運送業務従事者は、アルコール検知器による飲酒検査が義務付けられている。そして、運送業務中の運送業務従事者が食事等で一時休憩する場合に飲酒してしまうのを防止するために、運送業務従事者が休憩しているか否かを自動的に検知し、休憩終了後にアルコール検査を喚起する技術が知られている（例えば、特許文献１を参照）。
【先行技術文献】
【特許文献】
【０００３】
【特許文献１】特開２０１２−２２１４５５号公報
【発明の概要】
【発明が解決しようとする課題】
【０００４】
しかし、特許文献１に記載の技術では、所定時間にわたって車速が０ｋｍ／ｈであることを休憩開始の判定条件とするとともに、休憩開始後に車速が０ｋｍ／ｈでないことを休憩終了の判定条件としている。
【０００５】
このため、運送業務従事者が運送業務とは関係なく運送車両を運転している場合であっても、上記休憩開始の判定条件と上記休憩終了の判定条件が成立すると、アルコール検査の喚起が行われてしまうという問題があった。
【０００６】
本発明は、こうした問題に鑑みてなされたものであり、不要なアルコール検査喚起を低減することができるアルコール検知システム、管理システムおよびプログラムを提供することを目的とする。
【課題を解決するための手段】
【０００７】
上記目的を達成するためになされた本発明は、アルコール検知器と、通信機とを備えるアルコール検知システムである。
アルコール検知器は、被験者の呼気に含まれるアルコール濃度に応じた濃度信号を出力する。通信機は、少なくとも濃度信号をアルコール検知器から有線または無線で入力可能に構成されるとともに、管理センタへアルコール濃度に関する情報を無線送信可能に構成され、被験者によって携帯可能である。
【０００８】
さらに、通信機は、自身の位置情報を取得可能な位置情報取得機能を備える。
そして、アルコール検知システムは、喚起手段を有する。
喚起手段は、位置情報取得機能によって取得された位置情報に基づいて、通信機が、予め設定された停留判定時間以上、予め設定された停留判定範囲内に存在している場合に、アルコール検査を被験者に喚起する。
【０００９】
また、通信機は、設定手段と、喚起動作手段とを備える。
設定手段は、被験者が運転勤務状態であるか否かを、手入力により設定することができる。そして喚起動作手段は、運転勤務状態であると設定されている期間に、喚起手段を動作させる。
【００１０】
このように構成されたアルコール検知システムでは、アルコール検知器が出力したアルコール濃度に応じた濃度信号を通信機へ有線または無線で入力させることができると共に、通信機によりアルコール濃度に関する情報を管理センタへ無線送信することができる。このため、管理センタから遠く離れた遠隔地にいる被験者が酒気帯び状態であるか否かを、管理センタ側で判断することができる。
【００１１】
なお、本発明の「濃度信号」とは、アルコール濃度に応じた出力信号だけでなく、アルコール濃度自身をも含む。なお、前者の場合には、アルコール検知器にて測定した濃度信号を通信機に出力し、通信機内にてアルコール濃度を算出し、これを管理センタに送信している。他方、後者の場合には、アルコール検知器内でアルコール濃度を算出し、このアルコール濃度を、通信機を介して管理センタに送信している。
【００１２】
また、本発明の「アルコール濃度に関する情報」としては、アルコール濃度の濃度値のほか、アルコール濃度に基づいて被験者が飲酒したか否かを示す判定情報や、複数設定されたアルコール濃度範囲レベルのいずれのレベルに属するかの情報などが挙げられる。
【００１３】
また、本発明のアルコール検知システムは、通信機が停留判定時間以上、停留判定範囲内に存在している場合に、被験者が休憩していると判断し、アルコール検査を被験者に喚起する。これにより、被験者に休憩後のアルコール検査を行わせるようにして、被験者が休憩中に飲酒していないかどうかについて判断することができる。
【００１４】
さらに、本発明のアルコール検知システムでは、被験者が運転勤務状態であるか否かを通信機に対して手入力により設定し、運転勤務状態である期間に喚起手段を動作させる。すなわち、通信機に対して手入力により、運転勤務状態ではないと設定することにより、喚起手段の動作を禁止することができる。このため、運転勤務状態ではないと設定されているときに被験者に対してアルコール検査を喚起することがなくなり、不要なアルコール検査喚起を低減することができる。
【００１５】
なお、設定手段では、通信機に対して被験者自身が手入力してもよいし、被験者以外（例えば、管理センタを管理する管理者）が通信機に対して入力してもよい。
また、本発明のアルコール検知システムでは、設定手段が、被験者が出勤したことを示す出勤情報が入力されると、被験者が運転勤務状態であると設定するとともに、被験者が退勤したことを示す退勤情報が入力されると、被験者が運転勤務状態でないと設定するようにしてもよい。すなわち、本発明のアルコール検知システムは、被験者が出勤すると運転勤務状態になり、被験者が退勤すると運転勤務状態でなくなると判断している。これにより、出勤情報および退勤情報を入力する操作により、運転勤務状態であるか否かを設定することができる。すなわち、出勤時および退勤時の入力操作が、運転勤務状態の設定操作を兼ねているため、運転勤務状態であるか否かを設定するための操作を別途行う必要がなくなる。
【００１６】
また、本発明のアルコール検知システムでは、通信機が、出勤情報および退勤情報とは異なる設定変更情報の入力に基づいて、運転勤務状態であるとの設定から、出勤情報を維持しつつ運転勤務状態でないとの設定に変更する設定変更手段を備えるようにするとよい。これにより、被験者は、出勤した後に運転業務を行わない場合には、出勤情報を入力した後に設定変更情報を入力することにより、喚起手段の動作を禁止することができる。このため、出勤後であっても、運転勤務状態でないときには被験者に対してアルコール検査を喚起することがなくなり、勤務中における不要なアルコール検査喚起を低減することができる。
【００１７】
また、本発明のアルコール検知システムでは、通信機が、喚起手段による喚起の後にアルコール検査が行われなかったことを示す予め設定された検査未実行条件が成立した場合に、アルコール検査が行われなかったことを示す検査未実行情報を、通信機に記憶するか、管理センタへ送信する情報提供手段を備えるようにするとよい。これにより、喚起の後に被験者がアルコール検査を実施しなかった場合に、アルコール検知システムの管理者は、検査未実行情報を、通信機または管理センタから取得することができる。このため、アルコール検知システムの管理者は、被験者が喚起の後にアルコール検査を実施したか否かを管理することができる。
【００１８】
また本発明の管理システムでは、本発明のアルコール検知システムと、管理センタと、を更に備え、管理センサにて、少なくとも被験者の呼気に含まれるアルコール濃度に関する情報を管理するとよい。これにより、複数の通信機から無線送信されるアルコール濃度に関する情報を管理センタで取得することができ、それぞれ異なる遠隔地にいる複数の被験者が酒気帯び状態であるか否かを管理センタで一元管理することができる。
【００１９】
また本発明のプログラムは、コンピュータを本発明のアルコール検知システムを構成する各手段として機能させる。
本発明のプログラムによって制御されるコンピュータは、本発明のアルコール検知システムの一部を構成することができ、本発明のアルコール検知システムと同様の作用および効果を得ることができる。
【００２０】
本発明のプログラムは、コンピュータが読み取り可能な記録媒体に記憶させ、記憶させたプログラムをコンピュータに実行させることにより利用することができる。なお、記録媒体は、持ち運び可能なものであってもよいし、コンピュータに予め組み込まれたものであってもよい。また、本発明のプログラムは、ネットワークを介してコンピュータにロードされるものであってもよい。
【図面の簡単な説明】
【００２１】
【図１】管理システム１の概略構成を示す図である。
【図２】スマートフォン２とアルコール検知器３と管理装置４の構成を示すブロック図である。
【図３】管理情報取得処理を示すフローチャートである。
【図４】出勤確認処理を示すフローチャートである。
【図５】退勤確認処理を示すフローチャートである。
【図６】管理設定処理を示すフローチャートである。
【図７】検査処理の前半部分を示すフローチャートである。
【図８】検査処理の後半部分を示すフローチャートである。
【図９】検査喚起処理を示すフローチャートである。
【図１０】スマートフォン２が表示する画像Ｇ０１，Ｇ０２を示す図である。
【図１１】スマートフォン２が表示する画像Ｇ０３，Ｇ０４，Ｇ０５を示す図である。
【図１２】スマートフォン２が表示する画像Ｇ０６，Ｇ０７を示す図である。
【図１３】スマートフォン２が表示する画像Ｇ０８，Ｇ０９，Ｇ１０を示す図である。
【図１４】スマートフォン２が表示する画像Ｇ１１，Ｇ１２を示す図である。
【図１５】スマートフォン２が表示する画像Ｇ１３，Ｇ１４，Ｇ１５を示す図である。
【図１６】スマートフォン２が表示する画像Ｇ１６，Ｇ１７を示す図である。
【図１７】スマートフォン２が表示する画像Ｇ１８，Ｇ１９を示す図である。
【図１８】スマートフォン２が表示する画像Ｇ２０，Ｇ２１を示す図である。
【図１９】スマートフォン２が表示する画像Ｇ２２を示す図である。
【発明を実施するための形態】
【００２２】
以下に本発明の実施形態を図面とともに説明する。
本発明が適用された実施形態の管理システム１は、運送会社の運送車両を運転して業務を行う運送業務従事者についてその勤怠と運転の可否とを管理するために設けられ、図１に示すように、スマートフォン２と、アルコール検知器３と、管理装置４とを備える。
【００２３】
スマートフォン２は、携帯電話の通信網を介して音声通話およびデータ通信を行う機能を有する。また、スマートフォン２は、運送業務従事者毎に割り当てられており、運送業務従事中の運送業務従事者によって携帯される。
【００２４】
アルコール検知器３は、筐体１１に形成された呼気吹込口１２から呼気が導入される。筐体１１内には、呼気中のアルコール濃度に応じて出力が変化するアルコール検知素子３１（図２参照）が内蔵されている。また、アルコール検知器３は、運送車両毎あるいは運送業務従事者に割り当てられている。
【００２５】
管理装置４は、スマートフォン２から送信されるメールを受信することにより、運送業務従事者の出退勤を示す情報や運転業務従事者のアルコール濃度に関する情報を取得し、運送業務従事者毎に管理するための情報を作成する。
【００２６】
スマートフォン２は、図２に示すように、表示部２１と、操作入力部２２と、位置検出部２３と、撮影部２４と、通信部２５と、音声出力部２６と、振動発生部２７と、入出力部２８と、制御部２９とを備える。
【００２７】
表示部２１は、筐体１３（図１を参照）の前面に設置された表示装置１４（図１を参照）を備え、表示装置１４の表示画面に各種画像を表示する。
操作入力部２２は、表示装置１４の表示画面上に設置されたタッチパネルと、表示装置１４の表示画面の周囲に設置されたスイッチとを備える。そして操作入力部２２は、使用者がタッチパネルおよびスイッチを介して行った入力操作を特定するための入力操作情報を出力する。
【００２８】
位置検出部２３は、ＧＰＳ（Global Positioning System）受信機を備え、ＧＰＳ衛星から受信した信号に基づいて、スマートフォン２の位置を検出する。
撮影部２４は、筐体１３の前面に設置された前面カメラ１５（図１を参照）と、筐体１３の背面に設置された背面カメラ（不図示）とを備える。
【００２９】
通信部２５は、携帯電話の通信網を介して、管理装置４との間でデータ通信を行う。
音声出力部２６は、電話の着信音など各種音声を出力する。
振動発生部２７は、振動モータを備え、電話の着信時等に振動モータを駆動することにより、スマートフォン２の筐体１３を振動させる。
【００３０】
入出力部２８は、有線で接続された外部機器との間でデータの入出力を行う。
制御部２９は、操作入力部２２、位置検出部２３、撮影部２４、通信部２５および入出力部２８からの入力に基づいて各種処理を実行し、表示部２１、撮影部２４、通信部２５、音声出力部２６、振動発生部２７および入出力部２８を制御する。
【００３１】
アルコール検知器３は、アルコール検知素子３１と、ヒータ３２と、入出力部３３と、制御部３４とを備える。
アルコール検知素子３１は、金属酸化物半導体（例えば酸化スズ）を材料として形成された半導体素子を備える。この半導体素子は、周囲のアルコール濃度に応じて電気抵抗値が変動し、これによりアルコール検知素子３１は、アルコール濃度に応じた出力信号を出力することができる。
【００３２】
ヒータ３２は、アルコール濃度に応じた出力信号を出力可能な動作温度までアルコール検知素子３１を加熱する。
入出力部３３は、有線で接続された外部機器（スマートフォン２）との間でデータの入出力を行う。
【００３３】
制御部３４は、アルコール検知素子３１および入出力部３３からの入力に基づいて各種処理を実行し、アルコール検知素子３１、ヒータ３２および入出力部３３を制御する。
管理装置４は、表示部４１と、操作入力部４２と、データ記憶部４３と、通信部４４と、制御部４５とを備える。
【００３４】
表示部４１は、表示装置１６（図１を参照）を備え、表示装置１６の表示画面に各種画像を表示する。
操作入力部４２は、キーボード１７（図１を参照）とマウス１８（図１を参照）を備える。そして操作入力部４２は、使用者がキーボード１７とマウス１８を介して行った入力操作を特定するための入力操作情報を出力する。
【００３５】
データ記憶部４３は、各種データを記憶するための記憶装置である。
通信部４４は、携帯電話の通信網を介して、スマートフォン２との間でデータ通信を行う。
【００３６】
制御部４５は、操作入力部４２および通信部４４からの入力に基づいて各種処理を実行し、表示部４１、データ記憶部４３および通信部４４を制御する。
このように構成された管理システム１において、スマートフォン２の制御部２９は、管理装置４にて運送業務従事者を管理するための情報を取得する管理情報取得処理と、運転業務従事者に対してアルコール検査を喚起する検査喚起処理を実行する。
【００３７】
まず、管理情報取得処理の手順を説明する。この管理情報取得処理は、管理情報取得処理を実行するために予め設けられたアプリケーションプログラムを使用者の入力操作により起動すること、または検査喚起処理で管理情報取得処理を開始させることで実行される。
【００３８】
この管理情報取得処理が実行されると、制御部２９は、図３に示すように、まずＳ１０にて、表示装置１４に個人ＩＤ入力画像Ｇ０１（図１０（ａ）を参照）を表示させる。個人ＩＤ入力画像Ｇ０１は、スマートフォン２を操作している運転業務従事者の個人ＩＤを入力するための個人ＩＤ入力テキストボックスＤ１１と、ログインボタンＤ１２と、終了ボタンＤ１３とを含む。
【００３９】
そしてＳ２０にて、個人ＩＤ入力画像Ｇ０１に対する入力操作が行われたか否かを判断する。ここで、入力操作が行われていない場合には（Ｓ２０：ＮＯ）、Ｓ２０の処理を繰り返すことにより、個人ＩＤ入力画像Ｇ０１に対する入力操作が行われるまで待機する。そして、入力操作が行われると（Ｓ２０：ＹＥＳ）、Ｓ３０にて、個人ＩＤ入力テキストボックスＤ１１に個人ＩＤが入力されたか否かを判断する。ここで、個人ＩＤが入力されていない場合には（Ｓ３０：ＮＯ）、終了ボタンＤ１３が操作されたと判断し、管理情報取得処理を終了する。一方、個人ＩＤが入力されると（Ｓ３０：ＹＥＳ）、Ｓ４０にて、表示装置１４にメニュー画像Ｇ０２（図１０（ｂ）を参照）を表示させる。メニュー画像Ｇ０２は、出勤ボタンＤ２１、退勤ボタンＤ２２、検査ボタンＤ２３、疲労度チェックボタンＤ２４、管理設定ボタンＤ２５およびログアウトボタンＤ２６を含む。
【００４０】
そしてＳ５０にて、メニュー画像Ｇ０２に対する入力操作が行われたか否かを判断する。ここで、入力操作が行われていない場合には（Ｓ５０：ＮＯ）、Ｓ５０の処理を繰り返すことにより、メニュー画像Ｇ０２に対する入力操作が行われるまで待機する。そして、入力操作が行われると（Ｓ５０：ＹＥＳ）、Ｓ６０にて、出勤ボタンＤ２１が操作されたか否かを判断する。ここで、出勤ボタンＤ２１が操作された場合には（Ｓ６０：ＹＥＳ）、Ｓ７０にて、後述の出勤確認処理を実行して、Ｓ４０に移行する。
【００４１】
一方、出勤ボタンＤ２１が操作されていない場合には（Ｓ６０：ＮＯ）、Ｓ８０にて、退勤ボタンＤ２２が操作されたか否かを判断する。ここで、退勤ボタンＤ２２が操作された場合には（Ｓ８０：ＹＥＳ）、Ｓ９０にて、後述の退勤確認処理を実行して、Ｓ４０に移行する。
【００４２】
一方、退勤ボタンＤ２２が操作されていない場合には（Ｓ８０：ＮＯ）、Ｓ１００にて、疲労度チェックボタンＤ２４が操作されたか否かを判断する。ここで、疲労度チェックボタンＤ２４が操作された場合には（Ｓ１００：ＹＥＳ）、Ｓ１１０にて、疲労度確認処理を実行する。疲労度確認処理では、ゲーム等により、スマートフォン２を操作している運転業務従事者（以下、操作者ともいう）の疲労度を測定する。そして、操作者の疲労度を測定した後、疲労度確認処理を終了して、Ｓ４０に移行する。
【００４３】
一方、疲労度チェックボタンＤ２４が操作されていない場合には（Ｓ１００：ＮＯ）、Ｓ１２０にて、管理設定ボタンＤ２５が操作されたか否かを判断する。ここで、管理設定ボタンＤ２５が操作された場合には（Ｓ１２０：ＹＥＳ）、Ｓ１３０にて、後述の管理設定処理を実行して、Ｓ４０に移行する。
【００４４】
一方、管理設定ボタンＤ２５が操作されていない場合には（Ｓ１２０：ＮＯ）、Ｓ１４０にて、検査ボタンＤ２３が操作されたか否かを判断する。ここで、検査ボタンＤ２３が操作された場合には（Ｓ１４０：ＹＥＳ）、Ｓ１５０にて、後述の検査処理を実行する。一方、検査ボタンＤ２３が操作されていない場合には（Ｓ１４０：ＮＯ）、ログアウトボタンＤ２６が操作されたと判断し、管理情報取得処理を終了する。
【００４５】
次に、Ｓ７０で実行される出勤確認処理の手順を説明する。
出勤確認処理が実行されると、制御部２９は、図４に示すように、まずＳ２１０にて、表示装置１４に撮影位置調整画像Ｇ０３（図１１（ａ）を参照）を表示させる。撮影位置調整画像Ｇ０３は、前面カメラ１５により撮影された現時点の画像を示す撮影画像Ｄ３１と、撮影ボタンＤ３２と、戻るボタンＤ３３とを含む。
【００４６】
そしてＳ２２０にて、撮影位置調整画像Ｇ０３に対する入力操作が行われたか否かを判断する。ここで、入力操作が行われていない場合には（Ｓ２２０：ＮＯ）、Ｓ２２０の処理を繰り返すことにより、撮影位置調整画像Ｇ０３に対する入力操作が行われるまで待機する。そして、入力操作が行われると（Ｓ２２０：ＹＥＳ）、Ｓ２３０にて、撮影ボタンＤ３２が操作されたか否かを判断する。ここで、撮影ボタンＤ３２が操作されていない場合には（Ｓ２３０：ＮＯ）、戻るボタンＤ３３が操作されたと判断し、出勤確認処理を終了する。
【００４７】
一方、撮影ボタンＤ３２が操作された場合には（Ｓ２３０：ＹＥＳ）、Ｓ２４０にて、撮影部２４に前面カメラ１５による撮影を実行させ、前面カメラ１５が撮影した画像データを取得する。
【００４８】
そしてＳ２５０にて、送信情報を作成する。送信情報は、撮影画像データと、個人ＩＤと、撮影が行われた時刻と、撮影が行われた場所と、スマートフォン２の端末ＩＤとを含む。
【００４９】
次にＳ２６０にて、表示装置１４に、送信内容確認画像Ｇ０４（図１１（ｂ）を参照）を表示させる。送信内容確認画像Ｇ０４は、送信内容画像Ｄ４１と、送信ボタンＤ４２と、戻るボタンＤ４３とを含む。なお送信内容画像Ｄ４１は、撮影された顔画像と、操作者の個人ＩＤと、撮影が行われた時刻と、撮影が行われた場所と、スマートフォン２の端末ＩＤとを示す。
【００５０】
そしてＳ２７０にて、送信内容確認画像Ｇ０４に対する入力操作が行われたか否かを判断する。ここで、入力操作が行われていない場合には（Ｓ２７０：ＮＯ）、Ｓ２７０の処理を繰り返すことにより、送信内容確認画像Ｇ０４に対する入力操作が行われるまで待機する。そして、入力操作が行われると（Ｓ２７０：ＹＥＳ）、Ｓ２８０にて、送信ボタンＤ４２が操作されたか否かを判断する。ここで、送信ボタンＤ４２が操作されていない場合には（Ｓ２８０：ＮＯ）、戻るボタンＤ４３が操作されたと判断し、Ｓ２１０に移行する。
【００５１】
一方、送信ボタンＤ４２が操作された場合には（Ｓ２８０：ＹＥＳ）、Ｓ２９０にて、通信部２５に、送信情報を電子メールにて管理装置４へ送信させる。そして、送信情報の送信が完了すると、Ｓ３００にて、検査喚起処理（後述）を開始し、さらにＳ３１０にて、表示装置１４に、送信完了画像Ｇ０５（図１１（ｃ）を参照）を表示させる。送信完了画像Ｇ０５は、「送信しました。アルコール検査喚起機能をＯＮにしました。」と記載された報知画像Ｄ５１と、メニューボタンＤ５２とを含む。
【００５２】
そしてＳ３２０にて、送信完了画像Ｇ０５に対する入力操作が行われたか否かを判断する。ここで、入力操作が行われていない場合には（Ｓ３２０：ＮＯ）、Ｓ３２０の処理を繰り返すことにより、送信完了画像Ｇ０５に対する入力操作が行われるまで待機する。そして、入力操作が行われると（Ｓ３２０：ＹＥＳ）、メニューボタンＤ５２が操作されたと判断し、出勤確認処理を終了する。
【００５３】
次に、Ｓ９０で実行される退勤確認処理の手順を説明する。
退勤確認処理が実行されると、制御部２９は、図５に示すように、まずＳ４１０にて、表示装置１４に上記の撮影位置調整画像Ｇ０３（図１１（ａ）を参照）を表示させる。
【００５４】
そしてＳ４２０にて、撮影位置調整画像Ｇ０３に対する入力操作が行われたか否かを判断する。ここで、入力操作が行われていない場合には（Ｓ４２０：ＮＯ）、Ｓ４２０の処理を繰り返すことにより、撮影位置調整画像Ｇ０３に対する入力操作が行われるまで待機する。そして、入力操作が行われると（Ｓ４２０：ＹＥＳ）、Ｓ４３０にて、撮影ボタンＤ３２が操作されたか否かを判断する。ここで、撮影ボタンＤ３２が操作されていない場合には（Ｓ４３０：ＮＯ）、戻るボタンＤ３３が操作されたと判断し、退勤確認処理を終了する。
【００５５】
一方、撮影ボタンＤ３２が操作された場合には（Ｓ４３０：ＹＥＳ）、Ｓ４４０にて、撮影部２４に前面カメラ１５による撮影を実行させ、前面カメラ１５が撮影した画像データを取得する。
【００５６】
そしてＳ４５０にて、送信情報を作成する。送信情報は、撮影画像データと、個人ＩＤと、撮影が行われた時刻と、撮影が行われた場所と、スマートフォン２の端末ＩＤとを含む。
【００５７】
次にＳ４６０にて、表示装置１４に、送信内容確認画像Ｇ０６（図１２（ａ）を参照）を表示させる。送信内容確認画像Ｇ０６は、送信内容画像Ｄ６１と、送信ボタンＤ６２と、戻るボタンＤ６３とを含む。なお送信内容画像Ｄ６１は、撮影された顔画像と、操作者の個人ＩＤと、撮影が行われた時刻と、撮影が行われた場所と、スマートフォン２の端末ＩＤとを示す。
【００５８】
そしてＳ４７０にて、送信内容確認画像Ｇ０６に対する入力操作が行われたか否かを判断する。ここで、入力操作が行われていない場合には（Ｓ４７０：ＮＯ）、Ｓ４７０の処理を繰り返すことにより、送信内容確認画像Ｇ０６に対する入力操作が行われるまで待機する。そして、入力操作が行われると（Ｓ４７０：ＹＥＳ）、Ｓ４８０にて、送信ボタンＤ６２が操作されたか否かを判断する。ここで、送信ボタンＤ６２が操作されていない場合には（Ｓ４８０：ＮＯ）、戻るボタンＤ６３が操作されたと判断し、Ｓ４１０に移行する。
【００５９】
一方、送信ボタンＤ６２が操作された場合には（Ｓ４８０：ＹＥＳ）、Ｓ４９０にて、通信部２５に、送信情報を電子メールにて管理装置４へ送信させる。そして、送信情報の送信が完了すると、Ｓ５００にて、検査喚起処理（後述）を終了し、さらにＳ５１０にて、表示装置１４に、送信完了画像Ｇ０７（図１２（ｂ）を参照）を表示させる。送信完了画像Ｇ０７は、「送信しました。アルコール検査喚起機能をＯＦＦにしました。」と記載された報知画像Ｄ７１と、メニューボタンＤ７２とを含む。
【００６０】
そしてＳ５２０にて、送信完了画像Ｇ０７に対する入力操作が行われたか否かを判断する。ここで、入力操作が行われていない場合には（Ｓ５２０：ＮＯ）、Ｓ５２０の処理を繰り返すことにより、送信完了画像Ｇ０７に対する入力操作が行われるまで待機する。そして、入力操作が行われると（Ｓ５２０：ＹＥＳ）、メニューボタンＤ７２が操作されたと判断し、退勤確認処理を終了する。
【００６１】
次に、Ｓ１３０で実行される管理設定処理の手順を説明する。
管理設定処理が実行されると、制御部２９は、図６に示すように、まずＳ６１０にて、表示装置１４に管理メニュー画像Ｇ０８（図１３（ａ）を参照）を表示させる。管理メニュー画像Ｇ０８は、メール設定ボタンＤ８１、検査喚起設定ボタンＤ８２、詳細設定ボタンＤ８３および戻るボタンＤ８４を含む。
【００６２】
そしてＳ６２０にて、管理メニュー画像Ｇ０８に対する入力操作が行われたか否かを判断する。ここで、入力操作が行われていない場合には（Ｓ６２０：ＮＯ）、Ｓ６２０の処理を繰り返すことにより、管理メニュー画像Ｇ０８に対する入力操作が行われるまで待機する。そして、入力操作が行われると（Ｓ６２０：ＹＥＳ）、Ｓ６３０にて、メール設定ボタンＤ８１が操作されたか否かを判断する。ここで、メール設定ボタンＤ８１が操作された場合には（Ｓ６３０：ＹＥＳ）、Ｓ６４０にて、メール設定処理を実行する。メール設定処理では、操作者のメールアドレスやメールアカウントの入力、管理装置４へのメール設定等を行う。そして、この入力や設定等が終了すると、Ｓ６１０に移行する。
【００６３】
一方、メール設定ボタンＤ８１が操作されていない場合には（Ｓ６３０：ＮＯ）、Ｓ６５０にて、検査喚起設定ボタンＤ８２が操作されたか否かを判断する。ここで、検査喚起設定ボタンＤ８２が操作された場合には（Ｓ６５０：ＹＥＳ）、Ｓ６６０にて、表示装置１４にパスワード入力画像Ｇ０９（図１３（ｂ）を参照）を表示させる。パスワード入力画像Ｇ０９は、検査喚起のためのパスワード入力テキストボックスＤ９１と、ログインボタンＤ９２と、終了ボタンＤ９３とを含む。
【００６４】
そしてＳ６７０にて、パスワード入力画像Ｇ０９に対する入力操作が行われたか否かを判断する。ここで、入力操作が行われていない場合には（Ｓ６７０：ＮＯ）、Ｓ６７０の処理を繰り返すことにより、パスワード入力画像Ｇ０９に対する入力操作が行われるまで待機する。そして、入力操作が行われると（Ｓ６７０：ＹＥＳ）、Ｓ６８０にて、パスワード入力テキストボックスＤ９１にパスワードが入力されたか否かを判断する。ここで、パスワードが入力されていない場合には（Ｓ６８０：ＮＯ）、終了ボタンＤ９３が操作されたと判断し、Ｓ６１０に移行する。
【００６５】
一方、パスワードが入力されると（Ｓ６８０：ＹＥＳ）、Ｓ６９０にて、入力されたパスワードが、予め設定された喚起切替パスワードと一致しているか否かを判断する。ここで、喚起切替パスワードと一致していない場合には（Ｓ６９０：ＮＯ）、Ｓ６７０に移行する。一方、喚起切替パスワードと一致している場合には（Ｓ６９０：ＹＥＳ）、Ｓ７００にて、表示装置１４に喚起切替画像Ｇ１０（図１３（ｃ）を参照）を表示させる。喚起切替画像Ｇ１０は、検査喚起対象者の個人ＩＤを示すＩＤ報知画像Ｄ１０１と、オンボタンＤ１０２と、オフボタンＤ１０３と、戻るボタンＤ１０４とを含む。
【００６６】
そしてＳ７１０にて、喚起切替画像Ｇ１０に対する入力操作が行われたか否かを判断する。ここで、入力操作が行われていない場合には（Ｓ７１０：ＮＯ）、Ｓ７１０の処理を繰り返すことにより、喚起切替画像Ｇ１０に対する入力操作が行われるまで待機する。そして、入力操作が行われると（Ｓ７１０：ＹＥＳ）、Ｓ７２０にて、オンボタンＤ１０２が操作されたか否かを判断する。
【００６７】
ここで、オンボタンＤ１０２が操作された場合には（Ｓ７２０：ＹＥＳ）、Ｓ７３０にて、検査喚起処理（後述）を開始し、さらにＳ７４０にて、表示装置１４に喚起開始画像Ｇ１１（図１４（ａ）を参照）を表示させる。喚起開始画像Ｇ１１は、「業務中のアルコール検査喚起を開始します」と記載された報知画像Ｄ１１１と、メニューボタンＤ１１２とを含む。
【００６８】
そしてＳ７５０にて、喚起開始画像Ｇ１１に対する入力操作が行われたか否かを判断する。ここで、入力操作が行われていない場合には（Ｓ７５０：ＮＯ）、Ｓ７５０の処理を繰り返すことにより、喚起開始画像Ｇ１１に対する入力操作が行われるまで待機する。そして、入力操作が行われると（Ｓ７５０：ＹＥＳ）、メニューボタンＤ１１２が操作されたと判断し、管理設定処理を終了する。
【００６９】
またＳ７２０にて、オンボタンＤ１０２が操作されていない場合には（Ｓ７２０：ＮＯ）、Ｓ７６０にて、オフボタンＤ１０３が操作されたか否かを判断する。
ここで、オフボタンＤ１０３が操作されていない場合には（Ｓ７６０：ＮＯ）、戻るボタンＤ１０４が操作されたと判断し、Ｓ６６０に移行する。一方、オフボタンＤ１０３が操作された場合には（Ｓ７６０：ＹＥＳ）、Ｓ７７０にて、検査喚起処理（後述）を終了し、さらにＳ７８０にて、表示装置１４に喚起終了画像Ｇ１２（図１４（ｂ）を参照）を表示させる。喚起終了画像Ｇ１２は、「業務中のアルコール検査喚起を停止します」と記載された報知画像Ｄ１２１と、メニューボタンＤ１２２とを含む。
【００７０】
そしてＳ７９０にて、喚起終了画像Ｇ１２に対する入力操作が行われたか否かを判断する。ここで、入力操作が行われていない場合には（Ｓ７９０：ＮＯ）、Ｓ７９０の処理を繰り返すことにより、喚起終了画像Ｇ１２に対する入力操作が行われるまで待機する。そして、入力操作が行われると（Ｓ７９０：ＹＥＳ）、メニューボタンＤ１２２が操作されたと判断し、管理設定処理を終了する。
【００７１】
またＳ６５０にて、検査喚起設定ボタンＤ８２が操作されていない場合には（Ｓ６５０：ＮＯ）、Ｓ８００にて、詳細設定ボタンＤ８３が操作されたか否かを判断する。ここで、詳細設定ボタンＤ８３が操作された場合には（Ｓ８００：ＹＥＳ）、Ｓ８１０にて、詳細設定処理を実行する。詳細設定処理では、検査喚起処理（後述）で用いられるパラメータ等を設定する。そして、パラメータを設定した後、詳細設定処理を終了して、管理設定処理を終了する。一方、詳細設定ボタンＤ８３が操作されていない場合には（Ｓ８００：ＮＯ）、戻るボタンＤ８４が操作されたと判断し、管理設定処理を終了する。
【００７２】
次に、Ｓ１５０で実行される検査処理の手順を説明する。
検査処理が実行されると、制御部２９は、図７および図８に示すように、まずＳ９１０にて、表示装置１４に飲酒検査画像Ｇ１３（図１５（ａ）を参照）を表示させる。飲酒検査画像Ｇ１３は、「飲酒検査をします。アルコール検知器を接続して下さい。」と記載された指示画像Ｄ１３１と、開始ボタンＤ１３２と、メニューボタンＤ１３３とを含む。
【００７３】
そしてＳ９２０にて、アルコール検知器３がスマートフォン２に接続されたか否かを判断する。ここで、アルコール検知器３がスマートフォン２に接続されていない場合には（Ｓ９２０：ＮＯ）、Ｓ９２０の処理を繰り返すことにより、アルコール検知器３がスマートフォン２に接続されるまで待機する。そして、アルコール検知器３がスマートフォン２に接続されると（Ｓ９２０：ＹＥＳ）、Ｓ９３０にて、アルコール検知素子３１とヒータ３２への通電を指示する信号を、入出力部２８を介してアルコール検知器３へ出力する。これにより、アルコール検知器３の制御部３４は、アルコール検知素子３１とヒータ３２への通電を行っていない場合に、アルコール検知素子３１とヒータ３２への通電を開始する。
【００７４】
次に、Ｓ９４０にて酒気帯びフラグをリセットする。その後、Ｓ９５０にて、開始ボタンＤ１３２が操作されたか否かを判断する。ここで、開始ボタンＤ１３２が操作された場合には（Ｓ９５０：ＹＥＳ）、Ｓ９８０に移行する。一方、開始ボタンＤ１３２が操作されてない場合には（Ｓ９５０：ＮＯ）、Ｓ９６０にて、メニューボタンＤ１３３が操作されたか否かを判断する。ここで、メニューボタンＤ１３３が操作された場合には（Ｓ９６０：ＹＥＳ）、Ｓ９７０にて、アルコール検知素子３１とヒータ３２への通電終了を指示する信号を入出力部２８を介してアルコール検知器３へ出力して、Ｓ４０に移行する。これにより、アルコール検知器３の制御部３４は、アルコール検知素子３１とヒータ３２への通電を行っている場合に、アルコール検知素子３１とヒータ３２への通電を終了する。
【００７５】
一方、メニューボタンＤ１３３が操作されていない場合には（Ｓ９６０：ＮＯ）、Ｓ９５０およびＳ９６０の処理を繰り返すことにより、開始ボタンＤ１３２またはメニューボタンＤ１３３が操作されるまで待機する。
【００７６】
そしてＳ９８０に移行すると、表示装置１４に注意喚起画像Ｇ１４（図１５（ｂ）を参照）を２秒間表示させる。注意喚起画像Ｇ１４は、アルコール検査を行う際の注意事項を示す画像である。
【００７７】
注意喚起画像Ｇ１４の表示が終了すると、Ｓ９９０にて、アルコール検知器３のウォームアップが完了して検査が開始されるまでの残り時間（以下、準備残時間という）が４秒以下であるか否かを判断する。なお、アルコール検知器３の制御部３４は、上記準備残時間を示す残時間信号がある場合に出力する。そして制御部２９は、この残時間信号が示す準備残時間に基づいてＳ９９０の処理を行う。
【００７８】
ここで、準備残時間が４秒を超えている場合には（Ｓ９９０：ＮＯ）、Ｓ９９０の処理を繰り返すことにより、準備残時間が４秒以下になるまで待機する。
一方、準備残時間が４秒以下である場合には（Ｓ９９０：ＹＥＳ）、Ｓ１０００にて、表示装置１４に撮影位置調整画像Ｇ１５（図１５（ｃ）を参照）を表示させる。撮影位置調整画像Ｇ１５は、「顔とアルコール検知器を枠内に入れて下さい。」と記載された指示画像Ｄ１５１と、準備残時間を示す準備残時間画像Ｄ１５２と、前面カメラ１５により撮影された現時点の画像を示す撮影画像Ｄ１５３とを含む。
【００７９】
その後Ｓ１０１０にて、準備残時間が０秒になったか否かを判断する。ここで、準備残時間が０秒になっていない場合には（Ｓ１０１０：ＮＯ）、Ｓ１０００に移行する。一方、準備残時間が０秒になった場合には（Ｓ１０１０：ＹＥＳ）、Ｓ１０２０にて、表示装置１４に検査画像Ｇ１６（図１６（ａ）を参照）を表示させる。検査画像Ｇ１６は、「検査を開始します。」と記載された指示画像Ｄ１６１と、前面カメラ１５により撮影された現時点の画像を示す撮影画像Ｄ１６２とを含む。
【００８０】
そしてＳ１０３０にて、アルコール検知器３から呼気検知信号が入力したか否かを判断する。なお呼気検知信号は、アルコール検知器３に対し呼気の導入条件（例えば、アルコール検知器３の出力信号が所定の出力信号を超えた）が予め設定された特定条件を満たしたことをアルコール検知器３が検知した場合に制御部３４が入出力部３３を介して出力する信号である。
【００８１】
ここで、呼気検知信号が入力していない場合には（Ｓ１０３０：ＮＯ）、Ｓ１０４０にて、アルコール検知器３からタイムアウト信号が入力したか否かを判断する。なおタイムアウト信号は、アルコール検査の開始からあらかじめ設定されたタイムアウト時間が経過した場合に制御部３４が入出力部３３を介して出力する信号である。
【００８２】
ここで、タイムアウト信号が入力していない場合には（Ｓ１０４０：ＮＯ）、Ｓ１０３０に移行する。一方、タイムアウト信号が入力した場合には（Ｓ１０４０：ＹＥＳ）、Ｓ１０５０にて、表示装置１４にやり直し画像Ｇ１７（図１６（ｂ）を参照）を表示させる。やり直し画像Ｇ１７は、「呼気を確認できませんでした。やりなおして下さい。」と記載された指示画像Ｄ１７１と、やり直しボタンＤ１７２と、キャンセルボタンＤ１７３とを含む。
【００８３】
そしてＳ１０６０にて、やり直し画像Ｇ１７に対する入力操作が行われたか否かを判断する。ここで、入力操作が行われていない場合には（Ｓ１０６０：ＮＯ）、Ｓ１０６０の処理を繰り返すことにより、やり直し画像Ｇ１７に対する入力操作が行われるまで待機する。そして、入力操作が行われると（Ｓ１０６０：ＹＥＳ）、Ｓ１０７０にて、やり直しボタンＤ１７２が操作されたか否かを判断する。ここで、やり直しボタンＤ１７２が操作された場合には（Ｓ１０７０：ＹＥＳ）、Ｓ９１０に移行する。一方、やり直しボタンＤ１７２が操作されていない場合には（Ｓ１０７０：ＮＯ）、キャンセルボタンＤ１７３が操作されたと判断し、Ｓ１０８０にて、アルコール検知素子３１とヒータ３２への通電終了を指示する信号を、入出力部２８を介してアルコール検知器３へ出力して、Ｓ４０に移行する。これにより、アルコール検知器３の制御部３４は、アルコール検知素子３１とヒータ３２への通電を終了する。
【００８４】
またＳ１０３０にて、アルコール検知器３から呼気検知信号が入力した場合には（Ｓ１０３０：ＹＥＳ）、Ｓ１０９０にて、スマートフォン２がマナーモードに設定されているか否かを判断する（図８参照）。ここで、マナーモードに設定されていない場合には（Ｓ１０９０：ＮＯ）、Ｓ１１００にて、スマートフォン２の音出力が可能であるか否かを判断する。ここで、スマートフォン２の音出力可能な場合には（Ｓ１１００：ＹＥＳ）、Ｓ１１１０にて、呼気が導入したことを報知するために予め設定された報知音を音声出力部２６に出力させる。さらにＳ１１２０にて、表示装置１４に、検査画像Ｇ１６において呼気導入画像Ｄ１６３（図１６（ｃ）を参照）を追加して表示させる。他方、Ｓ１１００にて、スマートフォン２の音出力が禁止されている場合には（Ｓ１１００：ＮＯ）、Ｓ１１２０にて、表示装置１４に、検査画像Ｇ１６において呼気導入画像Ｄ１６３（図１６（ｃ）を参照）を表示させる。
【００８５】
そしてＳ１１３０にて、報知音が出力されてから予め設定された報知時間（例えば２秒）が経過したか否かを判断する。ここで、報知時間が経過していない場合には（Ｓ１１３０：ＮＯ）、Ｓ１１３０の処理を繰り返すことにより、報知時間が経過するまで待機する。一方、報知時間が経過すると（Ｓ１１３０：ＹＥＳ）、Ｓ１１４０にて、音声出力部２６に報知音の出力を停止させる。さらにＳ１１５０にて、表示装置１４に、検査画像Ｇ１６の呼気導入画像Ｄ１６３を消去させて、Ｓ１２１０に移行する。
【００８６】
またＳ１０９０にて、マナーモードに設定されている場合には（Ｓ１０９０：ＹＥＳ）、Ｓ１１６０にて、振動発生部２７にてスマートフォン２を振動させる。さらにＳ１１７０にて、表示装置１４に、検査画像Ｇ１６において呼気導入画像Ｄ１６３（図１６（ｃ）を参照）を追加して表示させる。
【００８７】
そしてＳ１１８０にて、報知音が出力されてから上記報知時間が経過したか否かを判断する。ここで、報知時間が経過していない場合には（Ｓ１１８０：ＮＯ）、Ｓ１１８０の処理を繰り返すことにより、報知時間が経過するまで待機する。一方、報知時間が経過すると（Ｓ１１８０：ＹＥＳ）、Ｓ１１９０にて、振動発生部２７にスマートフォン２の振動を停止させる。さらにＳ１２００にて、表示装置１４に、検査画像Ｇ１６の呼気導入画像Ｄ１６３を消去させて、Ｓ１２１０に移行する。
【００８８】
そしてＳ１２１０に移行すると、アルコール検知器３からスマートフォン２に、アルコール濃度に応じた濃度信号が入力したか否かを判断する。なお、本実施形態では、アルコール検知器３の制御部３４は、アルコール検知素子３１が検出した出力信号に基づいてアルコール濃度（濃度信号）を算出し、算出したアルコール濃度を入出力部３３を介して出力する。
【００８９】
ここで、濃度信号が入力していない場合には（Ｓ１２１０：ＮＯ）、Ｓ１２１０の処理を繰り返すことにより、濃度信号が入力するまで待機する。そして、濃度信号が入力すると（Ｓ１２１０：ＹＥＳ）、Ｓ１２２０にて、撮影部２４に前面カメラ１５による撮影を実行させ、前面カメラ１５が撮影した画像データを取得する。さらにＳ１２３０にて、位置検出部２３から最新の位置情報を取得する。
【００９０】
そしてＳ１２４０にて、送信情報を作成する。送信情報は、撮影画像データと、酒気帯びの有無を示す酒気帯び情報と、個人ＩＤと、検査時刻と、検査場所と、アルコール濃度と、スマートフォン２の端末ＩＤと、アルコール検知器３の検知器ＩＤとを含む。
【００９１】
次に、Ｓ１２５０にて、上記酒気帯び情報に基づいて、酒気帯びを検知したか否かを判断する。ここで、酒気帯びを検知していない場合には（Ｓ１２５０：ＮＯ）、Ｓ１２７０にて、表示装置１４に、送信内容確認画像Ｇ１８（図１７（ａ）を参照）を２秒間表示させ、Ｓ１２８０に移行する。送信内容確認画像Ｇ１８は、送信情報の内容を操作者に確認させるための画像であり、酒気帯びを検知していないときの画像である。
【００９２】
また、Ｓ１２５０にて、酒気帯びを検知した場合には（Ｓ１２５０：ＹＥＳ）、Ｓ１２６０にて、酒気帯びフラグをセットし、Ｓ１２７０にて、表示装置１４に、送信内容確認画像Ｇ１９（図１７（ｂ）を参照）を２秒間表示させ、Ｓ１２８０に移行する。送信内容確認画像Ｇ１９は、送信情報の内容を操作者に確認させるための画像であり、酒気帯びを検知したときの画像である。
【００９３】
その後Ｓ１２８０にて、通信部２５に、送信情報を電子メールにて管理装置４へ送信させる。
そして、送信情報の送信が完了すると、Ｓ１２９０にて、表示装置１４に、送信完了画像Ｇ２０（図１８（ａ）を参照）または送信完了画像Ｇ２１（図１８（ｂ）を参照）を表示させる。送信完了画像Ｇ２０は、酒気帯びフラグがセットされていない場合に表示され、「管理装置への送信に成功しました。不要であればアルコール検知器を外して下さい。」と記載された指示画像Ｄ２０１と、検査者変更ボタンＤ２０２と、メニューボタンＤ２０３とを含む。また送信完了画像Ｇ２１は、酒気帯びフラグがセットされている場合に表示され、「管理装置への送信に成功しました。不要であればアルコール検知器を外して下さい。」と記載された指示画像Ｄ２１１と、検査者変更ボタンＤ２１２と、やり直しボタンＤ２１３と、メニューボタンＤ２１４とを含む。
【００９４】
そしてＳ１３００にて、送信完了画像Ｇ２０，Ｇ２１に対する入力操作が行われたか否かを判断する。ここで、入力操作が行われていない場合には（Ｓ１３００：ＮＯ）、Ｓ１３００の処理を繰り返すことにより、送信完了画像Ｇ２０，Ｇ２１に対する入力操作が行われるまで待機する。そして、入力操作が行われると（Ｓ１３００：ＹＥＳ）、Ｓ１３１０にて、メニューボタンＤ２０３，Ｄ２１４が操作されたか否かを判断する。
【００９５】
ここで、メニューボタンＤ２０３，Ｄ２１４が操作された場合には（Ｓ１３１０：ＹＥＳ）、Ｓ１３２０にて、アルコール検知素子３１とヒータ３２への通電終了を指示する信号を入出力部２８を介してアルコール検知器３へ出力して、Ｓ４０に移行する。これにより、アルコール検知器３の制御部３４は、アルコール検知素子３１とヒータ３２への通電を終了する。
【００９６】
一方、メニューボタンＤ２０３，Ｄ２１４が操作されていない場合には（Ｓ１３１０：ＮＯ）、Ｓ１３３０にて、酒気帯びフラグがセットされているか否かを判断する。ここで、酒気帯びフラグがセットされていない場合には（Ｓ１３３０：ＮＯ）、検査者変更ボタンＤ２０２が操作されたと判断し、Ｓ１０に移行する。
【００９７】
一方、酒気帯びフラグがセットされている場合には（Ｓ１３３０：ＹＥＳ）、Ｓ１３４０にて、やり直しボタンＤ２１３（図１８（ｂ）を参照）が操作されたか否かを判断する。ここで、やり直しボタンＤ２１３が操作された場合には（Ｓ１３４０：ＹＥＳ）、Ｓ９１０に移行する。
【００９８】
一方、やり直しボタンＤ２１３が操作されていない場合には（Ｓ１３４０：ＮＯ）、検査者変更ボタンＤ２１２が操作されたと判断し、Ｓ１０に移行する。
次に、検査喚起処理の手順を説明する。検査喚起処理は、検査喚起が必要である旨が設定されている個人ＩＤ毎に設けられている。そして検査喚起処理は、出勤確認処理のＳ３００の処理または管理設定処理のＳ７３０の処理で、検査喚起処理を開始させることで実行される。また検査喚起処理は、退勤確認処理のＳ５００の処理または管理設定処理のＳ７７０の処理で、検査喚起処理を終了させることで終了する。
【００９９】
この検査喚起処理が実行されると、制御部２９は、図９に示すように、まずＳ１４１０にて、前回のアルコール検査から予め設定された喚起間隔判定時間（本実施形態では例えば３時間）が経過したか否かを判断する。ここで、喚起間隔判定時間が経過していない場合には（Ｓ１４１０：ＮＯ）、Ｓ１４１０の処理を繰り返すことにより、前回のアルコール検査から喚起間隔判定時間が経過するまで待機する。
【０１００】
一方、前回のアルコール検査から喚起間隔判定時間が経過すると（Ｓ１４１０：ＹＥＳ）、Ｓ１４２０にて、スマートフォン２が、予め設定された停留判定時間（本実施形態では例えば１時間）以上、予め設定された停留判定範囲内（本実施形態では例えば半径１ｋｍ以内）に存在しているか否かを判断する。なお、スマートフォン２の位置は、位置検出部２３により検出される。
【０１０１】
ここで、スマートフォン２が停留判定時間以上、停留判定範囲内に存在していない場合には（Ｓ１４２０：ＮＯ）、Ｓ１４１０に移行する。一方、スマートフォン２が停留判定時間以上、停留判定範囲内に存在している場合には（Ｓ１４２０：ＹＥＳ）、Ｓ１４３０にて、表示装置１４に、喚起画像Ｇ２２（図１９を参照）を表示させる。喚起画像Ｇ２２は、指示画像Ｄ２２１と、検査ボタンＤ２２２と、保留ボタンＤ２２３とを含む。なお指示画像Ｄ２２１は、「アルコール検査して下さい」と記載されるとともに、対応する個人ＩＤが記載される。
【０１０２】
そしてＳ１４４０にて、喚起画像Ｇ２２に対する入力操作が行われたか否かを判断する。ここで、入力操作が行われていない場合には（Ｓ１４４０：ＮＯ）、Ｓ１４４０の処理を繰り返すことにより、喚起画像Ｇ２２に対する入力操作が行われるまで待機する。そして、入力操作が行われると（Ｓ１４４０：ＹＥＳ）、Ｓ１４５０にて、検査ボタンＤ２２２が操作されたか否かを判断する。
【０１０３】
ここで、検査ボタンＤ２２２が操作された場合には（Ｓ１４５０：ＹＥＳ）、Ｓ１４６０にて、管理情報取得処理を開始して、Ｓ１４１０に移行する。
一方、検査ボタンＤ２２２が操作されていない場合には（Ｓ１４５０：ＮＯ）、保留ボタンＤ２２３が操作されたと判断し、Ｓ１４７０にて、表示装置１４に喚起画像Ｇ２２の表示を終了させる。その後Ｓ１４８０にて、制御部４５内に設けられた記憶領域に検査未実行情報を記憶する。検査未実行情報は、対応する個人ＩＤと、保留ボタンＤ２２３が操作された旨と、保留ボタンＤ２２３が操作された時刻とが対応付けられた情報である。
【０１０４】
そしてＳ１４９０にて、保留ボタンＤ２２３の操作により連続して保留された回数（以下、保留連続回数という）が予め設定された送信判定回数（本実施形態では例えば５回）以上であるか否かを判断する。ここで、保留連続回数が送信判定回数未満である場合には（Ｓ１４９０：ＮＯ）、Ｓ１５１０に移行する。
【０１０５】
一方、保留連続回数が送信判定回数以上である場合には（Ｓ１４９０：ＹＥＳ）、Ｓ１５００にて、通信部２５に、制御部４５内に記憶されている保留連続回数分の検査未実行情報を電子メールにて管理装置４へ送信させる。そして保留情報の送信が完了すると、Ｓ１５１０に移行する。
【０１０６】
そしてＳ１５１０に移行すると、予め設定された喚起待機時間（本実施形態では例えば５分間）待機し、Ｓ１４３０に移行する。
このように構成されたアルコール検知システムは、スマートフォン２と、アルコール検知器３とを備える。
【０１０７】
アルコール検知器３は、運送業務従事者の呼気に含まれるアルコール濃度に応じた濃度信号を出力する。スマートフォン２は、少なくとも濃度信号をアルコール検知器３から有線で入力可能に構成されるとともに、管理装置４へアルコール濃度に関する情報を無線送信可能に構成され、運送業務従事者によって携帯可能である。
【０１０８】
さらに、スマートフォン２は、自身の位置情報を取得可能な位置検出部２３を備える。
そして、アルコール検知システムは、喚起手段（Ｓ１４２０，Ｓ１４３０）を備え、喚起手段は、位置検出部２３によって取得された位置情報に基づいて、スマートフォン２が、予め設定された停留判定時間以上、予め設定された停留判定範囲内に存在している場合に、アルコール検査を運送業務従事者に喚起する。
【０１０９】
また、スマートフォン２は、設定手段（Ｓ６０，Ｓ７０，Ｓ８０，Ｓ９０）と、喚起動作手段（Ｓ３００）とを備える。
設定手段は、運送業務従事者が運転勤務状態であるか否かを、手入力により設定することができる。そして喚起動作手段は、運転勤務状態であると設定されている期間に、喚起手段を動作させる。
【０１１０】
このように構成されたアルコール検知システムでは、アルコール検知器３が出力したアルコール濃度に応じた濃度信号をスマートフォン２へ有線で入力させることができると共に、スマートフォン２によりアルコール濃度に関する情報を管理装置４へ無線送信することができる。このため、管理装置４から遠く離れた遠隔地にいる運送業務従事者が酒気帯び状態であるか否かを、管理装置４側で判断することができる。
【０１１１】
また、アルコール検知システムは、スマートフォン２が停留判定時間以上、停留判定範囲内に存在している場合に、運送業務従事者が休憩していると判断し、アルコール検査を運送業務従事者に喚起する。これにより、運転業務従事者に休憩後のアルコール検査を行わせるようにして、運送業務従事者が休憩中に飲酒していないかどうかについて判断することができる。
【０１１２】
さらに、アルコール検知システムでは、運送業務従事者が運転勤務状態であるか否かをスマートフォン２に対して手入力により設定し、運転勤務状態である期間に喚起手段を動作させる。すなわち、スマートフォン２に対して手入力により、運転勤務状態ではないと設定することにより、喚起手段の動作を禁止することができる。このため、運転勤務状態ではないと設定されているときに運送業務従事者に対してアルコール検査を喚起することがなくなり、不要なアルコール検査喚起を低減することができる。
【０１１３】
また、アルコール検知システムでは、設定手段が、運送業務従事者が出勤したことを示す出勤情報（Ｓ２４０で撮影された画像データと、送信ボタンＤ４２の入力操作）が入力されると、運送業務従事者が運転勤務状態であると設定するとともに、運送業務従事者が退勤したことを示す退勤情報（Ｓ４４０で撮影された画像データと、送信ボタンＤ６２の入力操作）が入力されると、運送業務従事者が運転勤務状態でないと設定する。すなわち、アルコール検知システムは、運送業務従事者が出勤すると運転勤務状態になり、運送業務従事者が退勤すると運転勤務状態でなくなると判断している。これにより、出勤情報および退勤情報を入力する操作により、運転勤務状態であるか否かを設定することができる。すなわち、出勤時および退勤時の入力操作が、運転勤務状態の設定操作を兼ねているため、運転勤務状態であるか否かを設定するための操作を別途行う必要がなくなる。
【０１１４】
また、アルコール検知システムでは、スマートフォン２が、出勤情報および退勤情報とは異なる設定変更情報（オフボタンＤ１０３の入力操作）の入力に基づいて、運転勤務状態であるとの設定から、出勤情報を維持しつつ運転勤務状態でないとの設定に変更する設定変更手段（Ｓ１２０，Ｓ６５０，Ｓ６８０，Ｓ７６０）を備える。これにより、運送業務従事者は、出勤した後に運転業務を行わない場合には、出勤情報を入力した後に設定変更情報を入力することにより、喚起手段の動作を禁止することができる。このため、出勤後であっても、運転勤務状態でないときには運送業務従事者に対してアルコール検査を喚起することがなくなり、勤務中における不要なアルコール検査喚起を低減することができる。
【０１１５】
また、アルコール検知システムでは、スマートフォン２が、喚起手段による喚起の後にアルコール検査が行われなかったことを示す予め設定された検査未実行条件が成立した場合に（Ｓ１４９０：ＹＥＳ）、アルコール検査が行われなかったことを示す検査未実行情報を、管理装置４へ送信する情報提供手段（Ｓ１５００）を備える。これにより、喚起の後に運送業務従事者がアルコール検査を実施しなかった場合に、アルコール検知システムの管理者は、検査未実行情報を、管理装置４から取得することができる。このため、アルコール検知システムの管理者は、運送業務従事者が喚起の後にアルコール検査を実施したか否かを管理することができる。
【０１１６】
また管理システム１は、アルコール検知システムと、管理装置４を更に備え、管理装置４にて、少なくとも運転業務従事者の呼気に含まれるアルコール濃度に関する情報を管理する。これにより、複数のスマートフォン２から無線送信されるアルコール濃度に関する情報を管理装置４で取得することができ、それぞれ異なる遠隔地にいる複数の運送業務従事者が酒気帯び状態であるか否かを管理装置４で一元管理することができる。
【０１１７】
以上説明した実施形態において、管理システム１は本発明における管理システム、スマートフォン２は本発明における通信機、管理装置４は本発明における管理センタ、スマートフォン２及びアルコール検知器３がアルコール検知システム、Ｓ１４２０，Ｓ１４３０の処理は本発明における喚起手段、Ｓ６０，Ｓ７０，Ｓ８０，Ｓ９０の処理は本発明における設定手段、Ｓ３００の処理は本発明における喚起動作手段、Ｓ１２０，Ｓ６５０，Ｓ６８０，Ｓ７６０の処理は本発明における設定変更手段、Ｓ１５００の処理は本発明における情報提供手段である。
【０１１８】
以上、本発明の一実施形態について説明したが、本発明は上記実施形態に限定されるものではなく、本発明の技術的範囲に属する限り種々の形態を採ることができる。
例えば上記実施形態では、スマートフォン２とアルコール検知器３とが有線で通信可能に接続されるものを示したが、スマートフォン２とアルコール検知器３とが無線で通信可能に接続されるようにしてもよい。
【０１１９】
また、上記実施形態では、通信機として、スマートフォン２を用いていたが、携帯電話の通信網を介して音声通話およびデータ通信を行う機能を有する携帯電話端末や、さらには、無線通信機能を用いて通信可能な通信機（例えば、タブレット端末）であってもよい。
【０１２０】
また、上記実施形態では、アルコール検知素子３１が検出した出力信号を基に、アルコール検知器３に設けた制御部３４にてアルコール濃度を算出しているが、アルコール検知素子３１が検出した出力信号を、入出力部３３を介してスマートフォン２に出力し、スマートフォン２の制御部２９にてアルコール濃度を算出してもよい。
【０１２１】
また、上記実施形態では、スマートフォン２よりアルコール濃度を管理装置４に無線送信していたが、アルコール濃度に基づいて被験者が飲酒したか否かを示す判定情報や、複数設定されたアルコール濃度範囲レベルのいずれのレベルに属するかの情報などをスマートフォン２より管理装置４に無線送信してもよい。
【０１２２】
また、上記実施形態では、出勤時に検査喚起処理を開始して、退勤時に検査喚起処理を終了するものを示した。しかし、運送業務を開始するときに検査喚起処理を開始して、運送業務を終了したときに検査喚起処理を終了するようにしてもよい。
【０１２３】
また、上記実施形態では、検査未実行条件が成立した場合に（Ｓ１４９０：ＹＥＳ）、検査未実行情報を管理装置４へ送信するものを示したが、検査未実行情報を管理装置４へ送信する代わりに、検査未実行情報を、運送業務従事者により消去できないようにして（例えば、管理者用の消去パスワードを設定する）スマートフォン２に記憶するようにしてもよい。
【０１２４】
また、上記実施形態では、喚起手段として、スマートフォン２が、予め設定された停留判定時間（本実施形態では例えば１時間）以上、予め設定された停留判定範囲内（本実施形態では例えば半径１ｋｍ以内）に留まっているか否かを判断していた。しかしながら、例えば、予め設定された停留判定範囲として、予め繁華街や飲食街等の飲酒可能性の高い範囲（エリア）を設定し、スマートフォン２が、その設定した範囲内に、予め設定された停留所定時間（例えば、１時間）以上に存在しているか否かを判断するようにしてもよい。
【符号の説明】
【０１２５】
１…管理システム、２…スマートフォン、３…アルコール検知器、４…管理装置、２１…表示部、２２…操作入力部、２３…位置検出部、２４…撮影部、２５…通信部、２６…音声出力部、２７…振動発生部、２８…入出力部、２９…制御部、３１…アルコール検知素子、３２…ヒータ、３３…入出力部、３４…制御部、４１…表示部、４２…操作入力部、４３…データ記憶部、４４…通信部、４５…制御部
【図１】
2015099479.tif 000003
【図２】
2015099479.tif 000004
【図３】
2015099479.tif 000005
【図４】
2015099479.tif 000006
【図５】
2015099479.tif 000007
【図６】
2015099479.tif 000008
【図７】
2015099479.tif 000009
【図８】
2015099479.tif 000010
【図９】
2015099479.tif 000011
【図１０】
2015099479.tif 000012
【図１１】
2015099479.tif 000013
【図１２】
2015099479.tif 000014
【図１３】
2015099479.tif 000015
【図１４】
2015099479.tif 000016
【図１５】
2015099479.tif 000017
【図１６】
2015099479.tif 000018
【図１７】
2015099479.tif 000019
【図１８】
2015099479.tif 000020
【図１９】
2015099479.tif 000021